(57)【要約】【課題】  操作及び取り扱いが改善された電動顕微鏡及びその操作ユニットを提供すること。【解決手段】  操作ユニットは、顕微鏡の複数の機能ユニットを作動ないし制御する制御コマンドを操作ユニットのマイクロ制御装置に提供することができる少なくとも１つの操作要素、特に操作ホイール（５０、５１、５４）、操作キー（５２ａ〜５２ｈ）及び／又は操作ボール（６３）、を有する顕微鏡用の手動作動操作ユニットであって、前記マイクロ制御装置と連携するメモリ装置は、第１メモリ領域を有し、前記第１メモリ領域は、ソフトウェア、特に前記少なくとも１つの操作要素の機能を定義するソフトウェア、を前記メモリ装置の別のメモリ領域にロードすることができるカスタムブートローダを備える。
2006504126.tif 000002
【特許請求の範囲】
【請求項１】
顕微鏡の複数の機能ユニットを作動ないし制御する制御コマンドを操作ユニットのマイクロ制御装置に提供することができる少なくとも１つの操作要素、特に操作ホイール（５０、５１、５４）、操作キー（５２ａ〜５２ｈ）及び／又は操作ボール（６３）、を有する顕微鏡用の手動作動操作ユニットであって、
前記マイクロ制御装置と連携するメモリ装置は、第１メモリ領域を有し、
前記第１メモリ領域は、ソフトウェア、特に前記少なくとも１つの操作要素の機能を定義するソフトウェア、を前記メモリ装置の別のメモリ領域にロードすることができるカスタムブートローダを備えることを特徴とする操作ユニット。
【請求項２】
バスシステム（４０）、特にＣＡＮバスシステム、によって顕微鏡の前記機能ユニットと通信することを特徴とする請求項１記載の操作ユニット。
【請求項３】
照明可能に構成されることを特徴とする請求項１又は２記載の操作ユニット。
【請求項４】
前記機能ユニットと連携する機能の複数の個別ユーザー設定を記憶することができるリングバッファを有することを特徴とする請求項１〜３のいずれか一項に記載の操作ユニット。
【請求項５】
基板上の操作ユニットの動作によって少なくとも１つの操作要素（６３）に作動が生じるように、前記少なくとも１つの操作要素（６３）が、前記操作ユニットの底面（６２）に設けられることを特徴とする請求項１〜４のいずれか一項乃至請求項１の前置部分に記載の操作ユニット。
【請求項６】
前記操作ユニットの底部に形成された前記操作要素（６３）は、顕微鏡のＸ−Ｙベンチと通信する操作ボールであり、
基板上の前記操作ユニットの動作によって、顕微鏡の前記Ｘ−Ｙベンチの対応する動作を生じさせることができ、
基板上の前記操作ユニットの動作を、前記Ｘ−Ｙベンチの前記対応する動作と選択的に連動させる又は分離することができる手段（５２ａ〜５２ｈ）が設けられることを特徴とする請求項５に記載の操作ユニット。
【請求項７】
操作ユニットを顕微鏡に取り付け可能にする磁気的保持装置（６４）を有することを特徴とする請求項１〜６のいずれか一項に記載の操作ユニット。
【請求項８】
すべての操作要素は、前記操作要素から手を離すことなく手動操作できることを特徴とする請求項１〜７のいずれか一項に記載の操作ユニット。
【請求項９】
コンピュータマウスのように構成されることを特徴とする請求項１〜８のいずれか一項に記載の操作ユニット。
【請求項１０】
請求項１〜９のいずれか一項に記載の操作ユニットを有することを特徴とする顕微鏡。
【発明の詳細な説明】
【技術分野】
【０００１】
本発明は、請求項１の前置部分（上位概念）に記載された顕微鏡用の操作ユニットに関する。即ち、本発明は、顕微鏡の複数の機能ユニットを作動ないし制御する制御コマンドを操作ユニットのマイクロ制御装置に提供することができる少なくとも１つの操作要素、特に操作ホイール、操作キー及び／又は操作ボール、を有する顕微鏡用の手動作動操作ユニットに関する。
【背景技術】
【０００２】
少なくとも１つの電動駆動機能を実行するシステム構成部品又は機能ユニットを顕微鏡本体に備えている電動顕微鏡は、すでに知られている。市販されている利用可能な製品の一例として、本出願人の「Ｌｅｉｃａ ＤＭＬＡ」（商標）がある。これは、例えば、倍率の変更、照明又は焦点の調節等の顕微鏡の重要な機能を電動化すると共に、マイクロプロセッサ制御によって任意に調整することができる電動顕微鏡である。電動化された機能は、パソコン又は中央電子制御装置によって制御することができる。さらに、当該顕微鏡は、顕微鏡本体自体から切り離された操作装置によって制御することができる。この操作装置は、回線を通じて上記電子制御装置にアナログ信号を伝送可能なセンサを備える。操作装置が顕微鏡から空間的に分離されているので、後者は、自由に配置することができ、それにより、例えば、ユーザーの個々の構成ないし組立てに適合するように調整することができる。例えば、本出願人によって作製されたＭＺ１６Ａ顕微鏡は、ＣＡＮＢｕｓ及び分散（非集中）知能を備えている。言い換えれば、マイクロプロセッサが、機能ユニット及び操作ユニットに組み込まれると共に、特定のユニットと連携するアクタの操作及びユニット間の通信を確保する特別に選択されたソフトウェアがマイクロプロセッサにロードされる。
【発明の開示】
【発明が解決しようとする課題】
【０００３】
これらの機能ユニットにおいてソフトウェアを変更するためには、顕微鏡は、ジャンパを操作すること、すなわちハードウェアを使用すること、によってローディングモードに入る必要がある。このとき、新しいソフトウェアがシリアルインタフェイスを通じてロードされ、ジャンパがリセットされる。ロードされたソフトウェアが機能ユニットに属しているか否かを見分ける方法は無い。したがって、ソフトウェアを変更するために、装置を開ける必要があり、装置が損傷する危険性がある。誤ったソフトウェアをロードすると、顕微鏡は正常に作動せず、ことによれば欠陥を探す面倒な調査をすることになる。一方、操作ユニットにおいては、ソフトウェアはプロセッサに書き込まれる（burned）。ソフトウェアを変更するためには、プロセッサを取り外し、データ消去し、そして再書込みする必要がある。
【０００４】
この種の電動顕微鏡は、簡易な方法で、種々の顕微鏡機能を実行しかつ調整するために各機能ユニットが相互に通信することができると共に、各機能ユニットが操作要素と通信することができる、バスシステムを備えることも知られている。
【０００５】
この種の電動顕微鏡の個々の機能ユニットは、一般に、アクタ（aktor）又はコマンド入力ユニット、及びアクタ又はコマンド入力ユニットと通信すると共に、対応する記憶ユニットと構築されるか又は協同するマイクロ制御装置を有する。通常、特定の機能を制御するソフトウェア又はファームウェアは、この記憶ユニットに記憶され、マイクロ制御装置と連携するアクタを制御するためにマイクロ制御装置によって呼び出される。従来のシステムにおいては、問題の機能ユニットを苦労して開けて、マイクロ制御装置を取り外して再書込みすること、又はジャンパ設定を使用して少なくともハードウェアを変更することを除いて、このソフトウェア又はファームウェアを、例えば更新することによって、改善することはできない。
【０００６】
本発明の目的は、従来の解決手段と比較して操作及び取り扱いが改善された電動顕微鏡を提供することである。
【課題を解決するための手段】
【０００７】
本目的は、請求項１の特徴部分を有する操作ユニット及びそのような操作ユニットを備える顕微鏡によって達成される。即ち、本発明の操作ユニットは、マイクロ制御装置と連携するメモリ装置は、第１メモリ領域を有し、前記第１メモリ領域は、ソフトウェア、特に前記少なくとも１つの操作要素の機能を定義するソフトウェア、を前記メモリ装置の別のメモリ領域にロードすることができるカスタムブートローダを備えることを特徴とする（形態１）。
【０００８】
本発明の操作ユニットは、マイクロ制御装置及びブートストラップローダ（Bootstrap-Loader）ソフトウェア又はカスタムブートローダ（Custom-Boot-Loader）を記憶するメモリ領域を備えることを特徴とする。
【発明の効果】
【０００９】
本発明によれば、ブートストラップローダソフトウェアを使用して、インストールソフトウェアを操作ユニットのマイクロ制御装置に容易にダウンロードすることができる。このインストールソフトウェアは、操作ユニットのマイクロ制御装置のソフトウェア又はファームウェア（Firmware）の（単にソフトウェア関連の）更新を実行することを容易にし、それにより操作要素、特に操作ホイール、操作キー又は操作ボール、を設定（Belegung）又は定義する。
【００１０】
本発明の操作ユニットは、操作要素に伝送される制御コマンドを種々の機能ユニットのマイクロ制御装置において実行できるように、バスシステムによって、顕微鏡の（電動化された）他の機能ユニットと直接通信する、即ち、特に中間信号処理ユニットの介在なしに通信する、ことを特徴とする。本発明の操作ユニットは、その操作要素（複数）に関してプログラムを組み込むこと又は設定することを特に容易にするので、複数のユーザーによる操作ユニットの個別的な使用が容易に可能となる。
【発明を実施するための最良の形態】
【００１１】
本発明の操作ユニットの有利な実施形態は、従属請求項に記載されている。本発明の好ましい形態によれば、操作ユニットは、バスシステム、特にＣＡＮバスシステム、によって顕微鏡の機能ユニットと通信する（形態２）。本発明の好ましい形態によれば、操作ユニットは、照明可能に構成される（形態３）。本発明の好ましい形態によれば、操作ユニットは、機能ユニットと連携する機能の複数の個別ユーザー設定を記憶することができるリングバッファを有する（形態４）。本発明の好ましい形態によれば、基板上の操作ユニットの動作によって少なくとも１つの操作要素に作動が生じるように、少なくとも１つの操作要素が、操作ユニットの底面に設けられる（形態５）。さらに好ましい形態によれば、操作ユニットの底部に形成された操作要素は、顕微鏡のＸ−Ｙベンチと通信する操作ボールであり、基板上の操作ユニットの動作によって、顕微鏡のＸ−Ｙベンチの対応する動作を生じさせることができ、基板上の操作ユニットの動作を、Ｘ−Ｙベンチの対応する動作と選択的に連動させる又は分離することができる手段が設けられる（形態６）。本発明の好ましい形態によれば、操作ユニットは、操作ユニットを顕微鏡に取り付け可能にする磁気的保持装置を有する（形態７）。本発明の好ましい形態によれば、すべての操作要素は、操作要素から手を離すことなく手動操作できる（形態８）。本発明の好ましい形態によれば、操作ユニットは、コンピュータマウスのように構成される（形態９）。また、本発明の顕微鏡は、上記各形態のいずれかの操作ユニットを有することを特徴とする（形態１０）。
【００１２】
操作ユニットを使用して操作することができる顕微鏡は、例えば、電動ズームユニット、電動フィルタホイール、電動虹彩（iris）シャッタ、電動閉止装置、電動フォーカス装置、特にファインフォーカス装置、電動シャッタ、電動透過光ベース、電動光源、電動Ｘ−Ｙベンチ及び／又は電動蛍光モジュールを備える。これらの機能ユニットの選択的連結は本発明の顕微鏡の最適の機能性を達成することを可能にし、すべての機能ユニットは、本発明の操作ユニットによって容易に制御される。
【００１３】
本発明の操作ユニットは、その側面にある少なくとも１つの手動操作ホイール及びその上面にある少なくとも１つの手動操作押しボタンで適宜形成される。操作ユニットのこの構成は、人間工学的に良いデザイン（片手操作）になると同時に、顕微鏡の全体的な機能性は単一の操作ユニットに統合することができる。
【００１４】
本発明によれば、上記のように、操作ユニットは、顕微鏡の各機能ユニット間の通信を行うバスに直接接続される。回転ホイール（複数）及びボタン（複数）又はキー（複数）の組み合わせを使用して、すべての機能ユニットを自由に構成することができ、複数の構成、例えば個別化された構成、を容易に記憶することができる。例えば、ズーム装置及びフォーカス装置の細かい運動を、連携した第１及び第２回転ホイールを使用して行うことができ、大まかな調節を押しボタンを使用して行うことができる。その結果、連続的な運動又は定速及び定加速運動を、焦点合わせの過程又はズーム機構を使用する過程において行うことができる。標準位置（複数）は、１度押しの押しボタンを使用して定めることができ、又は所望の最終位置は、例えば２度押しの押しボタンによって採用することができる。また、（例えば、左右反転）スイッチをいれた状態で所定のキーの組み合わせを押すことによって標準（デフォルト）の設定を作動させることもできる。さらに、キーの組み合わせは、リングバッファから、特定のユーザーに関連するシステム状態を記憶すること及び呼び出すことに使用することができる。これらのキーの組み合わせは、特に、個々のユーザーを識別することに使用することもできる。
【００１５】
顕微鏡に設けられたシャッタ（複数）は、キーを使用して作動させることもできる。さらに、そのようなキーを持続的に押すことによって、調節可能な光源用の（強度を強めたり弱めたりする）「調光スイッチ（dimmer switch）」のように使用することもできる。フィルタ回転操作は、この目的のために設けられた２つのキーを使用して容易に実行することができる。
【００１６】
現在の状態（フォーカス、ズーム、フィルタ、虹彩シャッタ位置、シャッタ、等）は、リングバッファによって例えば１つのキーのみを使用して記憶することができ、最大５つのとりうる位置を適宜（例えばＥＥＰＲＯＭに）同時に記憶することができる。
【００１７】
顕微鏡の虹彩シャッタは、回転ホイールを使用して電子的に調整することもできるが、特に、この機能のために第３の回転ホイールを設けてもよい。
【００１８】
顕微鏡の実際の倍率へのソフトウェアを基礎としたフォーカススピードの調節が適宜提供される。
【００１９】
好ましくは、フォーカス装置又はズーム装置を慣性の助けを借りて作動することができる、作動を慣性補助する手段を回転ホイールに提供する。重いホイール（複数）においては、これらのホイールが一度動き始めると自動的に動き続けるということによって、これを達成することができる。
【００２０】
Ｘ−Ｙベンチの動作スピードと操作要素の動作スピードとの間の比がその時に選択された特定のズーム倍率に依存することは有利である。
【００２１】
本発明の操作ユニットは、顕微鏡そのものに位置を静止することが可能なベースプレートに磁気的ホルダを組み込んで構成してもよい。これにより、特に、顕微鏡に操作ユニットを容易に配置又は固定することができる。
【００２２】
本発明の顕微鏡の特に好ましい実施形態によれば、操作ユニットは、照明可能に設計される。（例えば、電流供給がバスシステムを通じて提供される）照明要素を備える操作ユニットの構成は、例えば、暗室での利用に特に有用である。
【００２３】
本発明の操作ユニットの好ましい実施形態によれば、少なくとも１つの操作要素は、基板上での操作ユニットの動作がこの操作要素を動かすように、操作ユニットベース面に配置される。
【００２４】
例えば、基板、例えば実験室ベンチ、に対する操作ユニットのベースプレートにおける相対的な動きを使用して顕微鏡のＸ−Ｙベンチを制御することができるが、この機能は、操作ユニットのベースプレートに組み込まれた一般的なスイッチ（近接センサ、容量性スイッチ等）によって、又は操作ユニットのベースプレートに取り付けられ、該操作ユニットが基板上を動く際に操作ユニットと協同する「マウスのような」ボールによって達成することができる。例えば、基板上の操作ユニットの動きをＸ−Ｙベンチの対応する動作動と選択的に連動させる又は分離することができる手段のような操作キーの１つを備えることは特に有利である。これにより、操作ユニットの基板上でのすべての動きが顕微鏡のＸ−Ｙベンチの対応する動作とならないようにユーザーが操作ユニットを調整できることが確保されるので、本発明の操作ユニットの取り扱いがより容易になる。
【００２５】
この特徴は、特に簡単な（simple）ボタンを使用して実行することができる。また、手動操作の近接センサ又は近接スイッチを備えることも好ましい。
【００２６】
本発明の操作ユニットの他の好ましい実施形態によれば、操作ユニットは、操作ユニットを顕微鏡に取り付けることができる磁気的保持装置を有する。操作ユニットを顕微鏡に特に容易に取り付けることができるこのような保持装置は、特に一般的な実験室での使用に特に有利であることが分かっている。本発明の操作ユニットは、すべての操作ユニットが、すなわち操作要素から手を離す必要なく、手動操作可能であること、を特に特徴とする。したがって、初めて、顕微鏡の電動化されたすべての機能ユニットを、片手操作用の操作ユニットによって実質的に完全に制御することができる。有利には、操作ユニットは、コンピュータのマウスの形状又は方式でも構成される。曲線的でユーザーの手に合うそのような形状は、人間工学的に非常に満足できるものであることが分かっている。
【００２７】
本発明は、添付の図面を参照してより詳しく説明される。
【実施例】
【００２８】
本発明の操作ユニットを使用して制御することができる顕微鏡の好ましい実施形態には、図１において全般的に１０が付されている。顕微鏡１０は、全般的に１４を付した光学システムを保持する光学システムキャリア（光学装置キャリア）１２を有する。
【００２９】
顕微鏡１０は、電動Ｘ−Ｙベンチ１３ａを備えるベース（基台）１３を有する。
【００３０】
光学システム１４は、電動フォーカス装置１６を使用してスタンド１７上を移動することができる。
【００３１】
光学システム１４は、接眼レンズ２０、電動シャッタ及び、本実施形態において特に少なくとも１つの蛍光フィルタを収容する、電動調節可能なフィルタホイールを備える特に蛍光モジュール２２として構成された照明装置、電動ズーム装置２４、及び本実施形態において２つの選択可能な対物レンズ２８、３０を保持する対物レンズチェンジャ２６を有する。対物レンズチェンジャ２６も、任意に電動駆動にしてもよい。
【００３２】
蛍光モジュール２２の光源の代わりに、又はそれに加えて、別の照明装置３２又は透過光照明台（不図示）は、電動駆動の強度調節装置をベース１３の下部に有することができる。
【００３３】
図示した構成部品１３、１６、２０、２２、２４、２６、３２は、顕微鏡１０の各機能ユニットである。
【００３４】
これらの機能ユニットは、（図１に詳細を示していない）バスシステムによって相互に接続されると共に、外部の装置又は機能ユニットに接続される。外部装置は、特に、図１に示す手動操作制御ユニット２９、及び汎用ポート３４又は種々のポート、例えばＵＳＢ１、ＵＳＢ２又はＩＥＥＥ１３９４もしくはＲＳ２３２、を有するコンピュータ３３であってもよい。操作ユニット２９及びコンピュータ３３の両方を使用して顕微鏡１０の機能ユニットを制御することができる。また、両ユニット２９、３３を使用して顕微鏡１０を制御することもできる。
【００３５】
上記のように、顕微鏡１０の各機能ユニット及び外部要素２９、３３は、バスシステムによって互いに接続される。バスシステムは、例えば、ＣＡＮシステムであってもよい。この種のバスシステムは、図２に示され、全般的に４０が付されている。この種のバスシステムを使用して、顕微鏡の各機能ユニット間の標準化されたデータ伝送を容易に実施することができる。バスシステムは、データ、制御信号又はアドレス等の様々な種類の情報を同一回線を通じて逐次送信する簡単な（単一）のバスシステムとして構成することができる。また、特定の種類の情報を送信する個別のバスシステムを複数有する複合（マルチプル）バスシステムとしてバスシステムを設計することもできる。
【００３６】
図２は、特に、図１に示した機能ユニット、すなわち電動駆動フォーカス装置１６、蛍光モジュール２２及び電動駆動ズーム装置２４、を示す。他の機能ユニットは、すでに述べたように、バスシステムにも接続される操作ユニット２９である。
【００３７】
バスシステム４０に接続可能な他の構成部品は、例えば、シャッタを調節する機能ユニット及び手動ホイール、である。図１には示していないが、システム特有のデータを表示する「ディスプレイ」機能ユニットを取り付けてもよい。この種の所望の機能ユニットを顕微鏡に備え付ける可能性を例示するために、図２は、参照符号２１を付した他の２つの機能ユニットを示す。
【００３８】
バスシステムと直接通信する操作要素２９は、特に容易かつ効果的なすべての機能ユニットの片手制御を可能にする。従来の解決手段と異なり、個別の操作要素を必要としない。したがって、顕微鏡の構成部品の数は、従来の解決手段と比較して効果的に削減することができる。
【００３９】
また、図２は、各機能ユニットの構造も概略的に示す。文字ａは、マイクロ制御装置を示し、文字ｂは、マイクロ制御装置ａと連携するメモリ装置を示す。また、種々の機能ユニットは、マイクロ制御装置及びメモリ装置を取り囲むフレームとして単に概略的に示され、文字ｃを付されたアクタも有する。他のバスシステムによって（不図示の）他のアプリケーションに機能ユニットを接続することもできる。このことは、図２の例において二重矢印４１〜４４によって例示されている。これらは、特にＲＳ２３２ポートを使用する、例えば、ＵＳＢ（Universal Serial Bus）又はＩＥＥＥバス（「ファイアワイヤ（Firewire）」であってもよい。
【００４０】
図示の装置は、電動駆動フォーカス装置１６の例を参照して詳細に説明される。電動駆動フォーカス装置１６は、マイクロ制御装置１６ａ及びメモリ装置１６ｂを有する。メモリ装置１６ｂは、ブートストラップソフトウェア及び任意の操作システムが記憶されている第１領域１６ｂ'に下位分割される。第２領域１６ｂ''は、最新版の電動フォーカス装置用の制御ソフトウェアを含んでいる。最後に、第３領域１６ｂ'''は、本発明の顕微鏡の範囲内において電動駆動フォーカス装置を操作するのに必要又は有用な校正データ（calibration data）を含む。
【００４１】
図示の他の機能ユニット（複数）は、同様の構造であるので、使用するマイクロ制御装置又はメモリ装置の詳細をここに提示する必要はない。操作ユニット２９において、マイクロ制御装置２９ａ、メモリ領域２９ｂ'、ｂ''及びｂ'''を含むメモリ装置２９ｂ及びアクタ２９ｃは、明確に示されている。
【００４２】
本発明によれば、機能ユニット用の制御ソフトウェアの最新版を各メモリ領域ｂ''にダウンロードすることは特に容易である。このことは、電動駆動フォーカス装置１６を参照して再度説明する。
【００４３】
メモリ領域１６ｂ'に含まれるブートストラップローダソフトウェアは、さらに拡張的なソフトウェアアプリケーションを各メモリ領域、すなわちこの例においては制御ソフトウェア領域１６ｂ''、にロードすることができる比較的小さいプログラムである。要求されることは、例えば、コンピュータ３３を通じてシステムに提供される対応する入力コマンドによってブートストラップローダプログラムを作動することだけである。このとき、例えば、コンピュータ３３にもロードされる、電動フォーカス装置１６用の制御ソフトウェアの最新版は、メモリ装置１６ｂの領域１６ｂ''にダウンロードすることができる。
【００４４】
従来の解決手段と対比すると、ソフトウェアを更新するために機能操作ユニットを開ける（起動する）必要がない。
【００４５】
上述のブートストラップローダソフトウェアと共に使用されるインストールソフトウェアは、顕微鏡の電動化されたいずれの機能ユニットでも自動的に認識する能力を有する。本発明において使用されるカスタマイズされたブートローダ及び任意のバスは、対応するアプリケーションソフトウェア又は必要もしくは所望のいずれの更新版を走らせることができ、これは自動的又は対話的に行うことができる。
【００４６】
領域ｂ'及びｂ'''は、好ましくは、保護されたメモリ領域として構成される。
【００４７】
本発明の操作ユニット２９の好ましい実施形態は、図３に示されている。ここでは、操作ユニット２９は、コンピュータマウスの形態で提供されている。
【００４８】
２つの操作ホイール５０、５１及び複数の操作ボタンないしキー５２ａ〜５２ｈが示されている。これらの操作ホイール又はキーには、所望の機能を配置することができるが、好ましい配置オプションをこれから説明する。操作ホイール５０、５１は、ユーザーが上方から容易に利用しやすく、操作ユニット２９の側面位置に形成される。操作ホイール５０は、電動フォーカス装置１６の細かい調節に利用されることが好ましい。必要とされる大まかな調節は、キー５２ａ〜５２ｈの少なくとも１つを作動することで行うことができる。操作ホイール５１は、電動ズーム装置２４の調節に適宜使用されるが、細かい調節は、操作ホイール５１を使用して行うことができ、対応する大まかな調節は、キー５２ａ〜５２ｈの少なくとも１つを作動して行われる。
【００４９】
最後に、図３は、操作ユニットの後部に配置された第３の操作ホイール５４を示す。この操作ホイール５４は、好ましくは、虹彩シャッタの漸進的（インクリメント的）制御に使用される。
【００５０】
顕微鏡の特定の位置は、少なくとも１つのキー、例えばキー５２ａ、を使用して記憶することができる。このキーは、メモリに記憶された特定の位置間を切り替えるトグルスイッチとして使用することもできる。
【００５１】
操作ユニット２９は、リード６０によって（図１も参照）、又は無線方式で、バス４０に接続することもできる。
【００５２】
図１及び図２を参照して説明したすべての機能ユニットが、キー５２ａ〜５２ｈを適当に作動させることによって有用に制御可能であることが示されている。
【００５３】
１つの操作ユニットに操作ホイールないし回転ホイール５０、５１、操作ホイールないしぎざぎざのついたリング５４及びキー５２ａ〜５２ｈを統合すること及びその特定の配置は、オペレータが操作ユニットから手を離す必要なく、すべての機能ユニットを片手で制御することを可能にする。ソフトウェアの容易な更新は、個々の操作要素の役割を、装置の設備に依存させること、及び特に現在の又はユーザの希望に応じた顕微鏡の機能ユニットないし構成部品に対応させることを可能にし、特に右利き又は左利き操作を可能にする。
【００５４】
最後に、図４は、図３の操作ユニットを下方から見た図を示す。図４は、図３を参照してすでに説明した操作ホイール５０、５１及び５４を示す。操作ユニット２９のベースプレート６２には、操作ボール６３が配置される凹部６１がある。ベースプレートが基板上を（「マウスのように」）移動する際に、操作ボール６３が、顕微鏡の機能ユニット、特にＸ−Ｙベンチ、を作動させることができる回転動作を行うことができるように、操作ボール６３は、ベースプレート６２から突出している。図３を参照して詳細に説明したように、操作ユニットの下面に設けられた操作要素と操作ユニットの上面の複数の操作要素との組み合わせは、顕微鏡の電動化された必須の機能ユニットすべての全体的な制御を可能にする。また、図４は、顕微鏡に操作ユニットを固定するために、操作ユニットに磁気的ホルダを構成するベースプレート６２に取り付けられた磁石６４を示す。
【図面の簡単な説明】
【００５５】
【図１】本発明の操作ユニットと連携する顕微鏡の好ましい実施形態を示す概略ブロック回路図。
【図２】図１に示す顕微鏡において、バスシステムを通じて相互に通信する個々の機能ユニットのブロック回路図。
【図３】本発明の操作ユニットの好ましい形態を示す平面図。
【図４】図３に示す新規の操作ユニットの底面図。
【符号の説明】
【００５６】
１０          顕微鏡
１２          光学システムキャリア
１４          光学システム
１３          ベース
１３ａ        電動Ｘ−Ｙベンチ
１６          電動フォーカス装置、
ａ          マイクロ制御装置（マイクロコントローラ）を示す
ｂ          メモリ装置を示す
ｃ          アクタ（aktor）を示す
１６ａ        マイクロ制御装置
１６ｂ        メモリ装置
１６ｂ'      メモリ装置の第１領域
１６ｂ''      メモリ装置の第２領域、制御ソフトウェア領域
１６ｂ'''    メモリ装置の第３領域
１７          スタンド
２０          接眼レンズ
２１          他の機能ユニット
２２          蛍光モジュール
２４          電動ズーム装置
２６          対物レンズチェンジャ
２８          対物レンズ
２９          手動作動操作ユニット（手動操作制御ユニット）
２９ａ        操作ユニットのマイクロ制御装置
２９ｂ        操作ユニットのメモリ装置
２９ｂ'、ｂ''、ｂ'''  メモリ領域
２９ｃ        操作ユニットのアクタ
３０          対物レンズ
３２          照明装置
３３          コンピュータ
３４          汎用ポート
４０          バスシステム
４１−４４    二重矢印
５０、５１    操作ホイール
５２ａ−５２ｈ  操作ボタン又はキー
５４          第３の操作ホイール、ぎざぎざのついたリング
６０          リード（ケーブル）
６１          凹部
６２          ベースプレート、操作ユニットベース
６３          操作ボール、要素
６４          磁石
【図１】
2006504126.tif 000003
【図２】
2006504126.tif 000004
【図３】
2006504126.tif 000005
【図４】
2006504126.tif 000006
【国際調査報告】
2006504126.tif 000007
2006504126.tif 000008
2006504126.tif 000009
2006504126.tif 000010